(57)【特許請求の範囲】
【請求項１】
対向する一対の主面を有する厚板状の歯科材料が収容される有底筒状の容器本体と、
前記容器本体の一端の開口部を覆うように形成された蓋部とを有する歯科材料収容容器において、
前記蓋部は、前記容器本体の周方向に回転可能に前記容器本体に設けられ、かつ前記蓋部の内部に前記歯科材料が収容可能な空間を有すると共に、前記蓋部の側面に前記歯科材料が取り出される取出し口を有し、
前記容器本体は、前記容器本体の内周面に前記歯科材料の両主面を移動可能な状態で保持する、一対の第１保持部を備え、
前記蓋部には、前記蓋部の内部に、前記歯科材料の両主面を移動可能な状態で保持できるように形成された一対の第２保持部が設けられ、
前記蓋部を前記容器本体の周方向に相対的に回転させ、前記第１保持部と前記第２保持部とにより連続した移動可能な空間が形成されることで、前記容器本体の内部の最も前記開口部側に位置する前記歯科材料が前記蓋部の内部に移動して、前記蓋部の内部に移動した前記歯科材料が前記蓋部の内部に収容される歯科材料収容容器。
【請求項２】
前記蓋部の内部に前記歯科材料が収容された後、前記蓋部を前記容器本体の周方向にさらに相対的に回転させ、前記第１保持部と前記第２保持部とをずらすことで、前記蓋部の内部に収容された前記歯科材料の、前記容器本体の内側への移動が、前記第１保持部により規制される、請求項１に記載の歯科材料収容容器。
【請求項３】
前記容器本体は、前記容器本体の外周面に突出部を有し、
前記蓋部は、前記蓋部の内周面に前記突出部に対応した溝部を有し、
前記突出部が前記溝部に嵌め合わされる、請求項１又は２に記載の歯科材料収容容器。
【請求項４】
前記容器本体は、前記容器本体の前記開口部に前記蓋部の内部に伸びた延設部を有し、
前記延設部には、前記容器本体の長手方向に沿って見た時、一部開口した切欠き部が形成されている、請求項１に記載の歯科材料収容容器。
【請求項５】
前記第２保持部は、前記蓋部の内周面と離間した状態で設けられ、
前記内周面と前記第２保持部との間に、前記延設部が挿入される、請求項４に記載の歯科材料収容容器。
【請求項６】
前記歯科材料が、歯科用セラミックスである、請求項１に記載の歯科材料収容容器。
【発明の詳細な説明】
【技術分野】
【０００１】
本発明は、歯科材料用容器に関する。
【背景技術】
【０００２】
従来より、歯科治療に、被覆冠（クラウン）、インナー、又はブリッジ等の補綴物が歯科用製品（歯科材料）として使用されている。こうした歯科材料は、歯科技工所において、酸化アルミニウムや酸化ジルコニウム等のセラミック材料、金属、又は合金等を用いて製造されている。中でも、審美性、簡便性、及び耐久性の観点から、歯科材料の製造には、錠剤型に成形された歯科用セラミックスの成形体を使用する方法がある。【０００３】
歯科用セラミックスの成形体は、ロストワックス法と呼ばれる鋳造法に使用することができる。鋳造法では、患者の口腔内の患部の形状に対応させた印象（陰型）に基づいて得られた歯型の石膏模型（模型）上に、歯科鋳造用ワックスを用いて、患部に固定する補綴物の形状と同じ外形のワックス製の補綴模型を成形する。この補綴模型を埋没材に埋没し、埋没材を硬化させた後、電気炉で補綴模型を加熱して消失することで、硬化した埋没材に補綴模型の外形と同じ内形の空隙が形成される。その後、加熱された埋没材の空隙に、歯科用セラミックスの成形体を加圧しながら押し込むことで、補綴模型と同じ形状の補綴物が埋没材の内部に成形される。埋没材を破壊することで、埋没材の内部に成形された、歯科用セラミックスからなる補綴物が取り出される。【０００４】
補綴物の製造時に使用される、歯科用セラミックスの成形体は、一般に、歯科材料用容器に充填された状態で保存されていることが多い。歯科材料用容器の一例を図２０に示す。図２０に示すように、歯科材料収容容器１００は、有底筒状の容器１０１内に歯科用セラミックスの成形体を入れた状態で容器１０１を蓋１０２で閉めることで、容器１０１内に歯科用セラミックスの成形体を密封した状態で保存している（例えば、非特許文献１参照）。
【先行技術文献】
【非特許文献】
【０００５】
【非特許文献１】"歯科加圧成形用セラミックス  イニシャルＬｉＳｉプレス"パンフレット  株式会社ジーシーＨＰ、[２０１８年１月２６日検索]、インターネット＜URL:http://www.gcdental.co.jp/sys/data/item/doc/1465/＞
【発明の概要】
【発明が解決しようとする課題】
【０００６】
しかしながら、従来の歯科材料収容容器１００では、蓋１０２が容器１０１の一端の開口部に強く嵌め込まれているため、歯科用セラミックスの成形体を歯科材料収容容器１００から取り出す際には、比較的強い力で蓋１０２を容器１０１から引っ張る必要があった。そのため、歯科技工所において、歯科用セラミックスの成形体を使用する際に、蓋１０２を容器１０１から強く引っ張って開封すると、歯科用セラミックスの成形体が容器１０１から飛び出して、作業台や床等に落ちて割れてしまう場合等がある。【０００７】
本発明の一態様は、歯科材料を簡易に取り出すことができる歯科材料用容器を提供することを目的とする。
【課題を解決するための手段】
【０００８】
本発明の一態様に係る歯科材料収容容器は、対向する一対の主面を有する厚板状の歯科材料が収容される有底筒状の容器本体と、前記容器本体の一端の開口部を覆うように形成された蓋部とを有する歯科材料収容容器において、前記蓋部は、前記容器本体の周方向に回転可能に前記容器本体に設けられ、かつ前記蓋部の内部に前記歯科材料が収容可能な空間を有すると共に、前記蓋部の側面に前記歯科材料が取り出される取出し口を有し、前記容器本体は、前記容器本体の内周面に前記歯科材料の両主面を移動可能な状態で保持する、一対の第１保持部を備え、前記蓋部には、前記蓋部の内部に、前記歯科材料の両主面を移動可能な状態で保持できるように形成された一対の第２保持部が設けられ、前記蓋部を前記容器本体の周方向に相対的に回転させ、前記第１保持部と前記第２保持部とにより連続した移動可能な空間が形成されることで、前記容器本体の内部の最も前記開口部側に位置する前記歯科材料が前記蓋部の内部に移動して、前記蓋部の内部に移動した前記歯科材料が前記蓋部の内部に収容される。
【発明の効果】
【０００９】
本発明の一態様に係る歯科材料用容器は、歯科材料を簡易に取り出すことができる。
【図面の簡単な説明】
【００１０】
【図１】第１の実施形態に係る歯科材料用容器を示す斜視図である。
【図２】歯科材料用容器の分解斜視図である。
【図３】図２のI−I断面図である。
【図４】図２のII−II断面図である。
【図５】容器本体の内部を示す斜視図である。
【図６】蓋部の内部を示す斜視図である。
【図７】歯科材料用容器から歯科用セラミックスを取り出す説明図である。
【図８】容器本体に歯科用セラミックスが収容されている状態を示す説明図である。
【図９】蓋部に歯科用セラミックスが移動された状態を示す説明図である。
【図１０】容器本体に変形例の一例を示す斜視図である。
【図１１】第１保持部の変形例の一例を示す斜視図である。
【図１２】第２保持部の変形例の一例を示す斜視図である。
【図１３】第１保持部の変形例の他の一例を示す斜視図である。
【図１４】第２保持部の変形例の他の一例を示す斜視図である。
【図１５】第２の実施形態に係る歯科材料用容器の斜視図である。
【図１６】歯科材料用容器の分解斜視図である。
【図１７】蓋部を回転させた時の状態を示す説明図である。
【図１８】図１６のIII−III断面図である。
【図１９】歯科材料用容器から歯科用セラミックスを取り出す説明図である。
【図２０】従来の歯科材料用容器を示す斜視図である。
【発明を実施するための形態】
【００１１】
以下、本発明の実施の形態について、詳細に説明する。なお、理解の容易のため、図面における各部材の縮尺は実際とは異なる場合がある。本明細書では、３軸方向（Ｘ軸方向、Ｙ軸方向、Ｚ軸方向）の３次元直交座標系を用い、歯科材料用容器の中心軸Ｊに平行な方向をＺ軸方向とし、中心軸Ｊに直交する面において、互いに直交する２つの方向のうち一方をＸ軸方向とし、他方をＹ軸方向とする。
【００１２】
［第１の実施形態］
第１の実施形態に係る歯科材料用容器について説明する。本実施形態では、歯科材料が歯科用セラミックスの成形体（以下、単に歯科用セラミックスという）である場合について説明する。
【００１３】
図１は、第１の実施形態に係る歯科材料用容器を示す斜視図であり、図２は、歯科材料用容器の分解斜視図であり、図３は、図２のI−I断面図であり、図４は、図２のII−II断面図であり、図５は、容器本体の内部を示す斜視図であり、図６は、蓋部の内部を示す斜視図である。図１〜図６に示すように、歯科材料収容容器１０Ａは、容器本体２０Ａと、蓋部３０Ａとを有する。
【００１４】
容器本体２０Ａは、有底円筒状に形成された容器であり、一端（−Ｚ軸方向の端部）に開口部２０１を有する。容器本体２０Ａは、内部に空間Ｓ１を有する。空間Ｓ１は、複数の歯科用セラミックス４０が収容可能な大きさを有する空間である。空間Ｓ１内には、歯科用セラミックス４０が容器本体２０Ａの軸方向（Ｚ軸方向）に複数配列された状態で収容されている。
【００１５】
歯科用セラミックス４０は、厚板状に形成され、対向する一対の主面４０ａ及び４０ｂを有する。主面４０ａ及び４０ｂは、平面視において、円形に形成されている。主面４０ａ及び４０ｂの角は、面取りされている。歯科用セラミックス４０は、容器本体２０Ａ内に、隣接する歯科用セラミックス４０同士の端面４０ｃが接するように収容されている。
【００１６】
容器本体２０Ａは、光透過性を有する材料を用いて形成される。前記材料として、例えば、ポリエチレンテレフタレート（ＰＥＴ）、ポリエチレンナフタレート（ＰＥＮ）、ポリエーテルスルホン（ＰＥＳ）、ポリエーテルイミド（ＰＥＩ）、ポリエーテルエーテルケトン（ＰＥＥＫ）、ポリフェニレンスルフィド（ＰＰＳ）、ポリアリレート（ＰＡＲ）、ポリイミド（ＰＩ）、ポリカーボネート（ＰＣ）、シクロオレフォン（ＣＯＰ）、セルロースアセテート（ＴＡＣ）、又はセルロースアセテートプロピオネート（ＣＡＰ）等が挙げられる。これらの樹脂は、１種類単独で使用してもよいし、２種類以上を組み合わせて使用してもよい。
【００１７】
なお、本実施形態において、光透過性は、容器本体２０Ａの内側の歯科用セラミックス４０の形状を外側から視認できる程度に可視光（波長３８０〜７８０ｎｍの光）に対する透過性を有していればよい。光透過性は、可視光に対する光透過率が高いことが好ましく、例えば、可視光に対する光透過率が６０％以上であることが好ましく、７０％以上であることがより好ましく、８０％以上であることがさらに好ましい。容器本体２０Ａは、無色であるが、光透過性を有していれば有色でもよい。
【００１８】
容器本体２０Ａは、その内周面２０ａに、容器本体２０Ａの軸方向（Ｚ軸方向）に沿って、一対の第１保持部２１を有する。一対の第１保持部２１同士は、容器本体２０Ａの内周面２０ａに、互いに向き合うように配置されている。本実施形態では、第１保持部２１は、歯科用セラミックス４０の一対の主面４０ａ及び４０ｂに対応するように、主面４０ａ及び４０ｂに対抗する面が平面に形成されている。歯科用セラミックス４０は、歯科用セラミックス４０の一対の主面４０ａ及び４０ｂが第１保持部２１に向き合うように、容器本体２０Ａ内に第１保持部２１同士の間に収納されている。一対の第１保持部２１が、歯科用セラミックス４０の両主面４０ａ及び４０ｂを移動可能な状態で保持している。なお、一対の第１保持部２１は、容器本体２０Ａと一体に形成されているが、容器本体２０Ａと別部材として作製し、容器本体２０Ａの内周面２０ａに接着剤等の結合剤や両面テープ等を用いて取り付けてもよい。
【００１９】
容器本体２０Ａは、その側面（外周面）２０ｂに突出部２２を有する。突出部２２は、外周面２０ｂに、容器本体２０Ａの周方向に沿って円状に形成されている。突出部２２は、開口部２０１から所定の距離の位置に設けられている。突出部２２は、容器本体２０Ａの全体の長さに対して、開口部２０１から１０〜２０％の範囲の位置に設けられることが好ましい。突出部２２が上記範囲内の位置に設けられていれば、蓋部３０Ａは、容器本体２０Ａに安定して支持された状態を維持できると共に、突出部２２を蓋部３０Ａの溝部３２に入れた状態で蓋部３０Ａを安定して回転できる。
【００２０】
蓋部３０Ａは、有底円筒状に形成され、容器本体２０Ａの一端の開口部２０１を覆うように形成されている。蓋部３０Ａは、その内部に空間Ｓ２を有している。空間Ｓ２は、１つの歯科用セラミックス４０が収容可能な大きさを有している。
【００２１】
蓋部３０Ａは、その側面（外周面）３０ｂに取出し口３１を有している。取出し口３１は、歯科用セラミックス４０が通過可能な大きさを有している。取出し口３１は、蓋部３０Ａの前方内面３０ｃから蓋部３０Ａの軸方向に向かって形成されている。取出し口３１より、歯科用セラミックス４０は取り出すことができる。
【００２２】
蓋部３０Ａは、容器本体２０Ａの外周面２０ｂに容器本体２０Ａの周方向に回転可能に設けられている。本実施形態では、蓋部３０Ａは、その内周面３０ａに、容器本体２０Ａの突出部２２に対応した溝部３２を有している。突出部２２が溝部３２に嵌め合わされることで、蓋部３０Ａは、容器本体２０Ａの周方向に回転できる。
【００２３】
蓋部３０Ａは、光透過性を有する材料を用いて形成される。蓋部３０Ａは、容器本体２０Ａと同様の材料を用いて形成できるため、説明は省略する。
【００２４】
蓋部３０Ａは、容器本体２０Ａと区別できるように、容器本体２０Ａが無色である場合には、顔料を含み、有色でもよい。容器本体２０Ａが有色である場合には、容器本体２０Ａとは異なる顔料を含んでもよい。蓋部３０Ａが有色である場合には、蓋部３０Ａは、透明性が維持できる程度であることが好ましい。
【００２５】
蓋部３０Ａは、その内周面３０ａに、一対の第２保持部３３Ａを有する。一対の第２保持部３３Ａ同士は、蓋部３０Ａの内周面３０ａに、取出し口３１を挟んで互いに向き合うように配置されている。一対の第２保持部３３Ａは、歯科用セラミックス４０の両主面４０ａ及び４０ｂを移動可能な状態で保持できるように、主面４０ａ及び４０ｂに対抗する面が平面に形成されている。一対の第２保持部３３Ａは、蓋部３０Ａと一体に形成されているが、  蓋部３０Ａと別部材として作製し、蓋部３０Ａの内周面３０ａに接着剤等の結合剤や両面テープ等を用いて取り付けてもよい。
【００２６】
蓋部３０Ａは、容器本体２０Ａの周方向に回転可能であるため、一対の第２保持部３３Ａの位置は、蓋部３０Ａを軸方向に見たとき、一対の第１保持部２１とそれぞれの平面が連続する。これにより、連続した、歯科用セラミックス４０が移動可能な空間が形成できる。すなわち、一対の第１保持部２１の平面と、一対の第２保持部３３Ａの平面とが連続することで、空間Ｓ１と空間Ｓ２とは、歯科用セラミックス４０が移動可能な通路となる。また、一対の第２保持部３３Ａの位置は、一対の第１保持部２１とそれぞれの平面が連続せず、歯科用セラミックス４０が移動不可能な空間となるように調整できる。その場合、歯科用セラミックス４０は、歯科用セラミックス４０の一対の主面４０ａ及び４０ｂが第２保持部３３Ａに向き合うように、蓋部３０Ａ内に第２保持部３３Ａ同士の間に収納される。
【００２７】
なお、歯科用セラミックス４０が移動可能な空間を形成する際、一対の第１保持部２１の平面と、一対の第２保持部３３Ａの平面とは、完全に一致して連続している必要はない。歯科用セラミックス４０が移動可能な空間が形成されていれば、一対の第１保持部２１の平面と、一対の第２保持部３３Ａの平面とは、蓋部３０Ａを軸方向に見たとき、ずれていてもよい。
【００２８】
歯科材料収容容器１０Ａから歯科用セラミックス４０を取り出す時の動作を説明する。図７に示すように、蓋部３０Ａを固定した状態で、容器本体２０Ａをその一方の周方向（＋Ｒ方向）に所定の角度（例えば、９０°）回転して、容器本体２０Ａの第１保持部２１と蓋部３０Ａの第２保持部３３Ａとの位置を合わせる。これにより、第１保持部２１と第２保持部３３Ａとはそれぞれの平面が連続し、第１保持部２１と第２保持部３３Ａとにより、連続した移動可能な空間が形成される。この結果、容器本体２０Ａの内部に収容されている複数の歯科用セラミックス４０のうち、容器本体２０Ａの内部の最も開口部２０１側に位置する歯科用セラミックス４０（図８参照）は、図７に示すように、容器本体２０Ａの内部から蓋部３０Ａの内部に移動する。そして、蓋部３０Ａの内部に移動した歯科用セラミックス４０は、その主面４０ａ及び４０ｂが一対の第２保持部３３Ａに保持された状態で、蓋部３０Ａの内部に収容される（図９参照）。
【００２９】
蓋部３０Ａの内部に歯科用セラミックス４０が収容された後、蓋部３０Ａを固定した状態で、容器本体２０Ａをその一方の周方向（＋Ｒ方向）にさらに所定の角度（例えば、９０°）回転させ、容器本体２０Ａの第１保持部２１と蓋部３０Ａの第２保持部３３Ａの位置をずらす。これにより、蓋部３０Ａの内部に収容された歯科用セラミックス４０の容器本体２０Ａの内側への移動が、第１保持部２１により規制され、蓋部３０Ａの内部の歯科用セラミックス４０は、一対の第２保持部３３Ａに保持された状態で、蓋部３０Ａの内部に拘束される。
【００３０】
次に、歯科材料収容容器１０Ａを取出し口３１が下向きとなるようにして、蓋部３０Ａの内部に収容された歯科用セラミックス４０を外部に取り出す。また、蓋部３０Ａの内部に収容された歯科用セラミックス４０が取り出されても、第１保持部２１と第２保持部３３Ａとの平面がずれているため、容器本体２０Ａの内部に収容されている歯科用セラミックス４０は、蓋部３０Ａの内部に戻らない。
【００３１】
なお、図７では、蓋部３０Ａを＋Ｒ方向に所定の角度回転させているが、−Ｒ方向に所定の角度回転させてもよい。
【００３２】
また、図７では、蓋部３０Ａを固定して、容器本体２０Ａを容器本体２０Ａの周方向に回転させているが、蓋部３０Ａを容器本体２０Ａの周方向に相対的に回転させればよいため、容器本体２０Ａを固定して、蓋部３０Ａを蓋部３０Ａの周方向に回転させてもよい。
【００３３】
上記のように構成された歯科材料収容容器１０Ａは、容器本体２０Ａと、容器本体２０Ａの周方向に回転可能に設けた蓋部３０Ａとを有し、容器本体２０Ａは、その内部に一対の第１保持部２１を有し、蓋部３０Ａは、その内部に一対の第２保持部３３Ａを有している。蓋部３０Ａを容器本体２０Ａの周方向に相対的に回転させ、一対の第１保持部２１と一対の第２保持部３３Ａとにより連続した移動可能な空間を形成することで、容器本体２０Ａの内部の歯科用セラミックス４０は、蓋部３０Ａの内部に移動して、蓋部３０Ａ内に収容できる。よって、歯科材料収容容器１０Ａによれば、容器本体２０Ａの内部に収容されている歯科用セラミックス４０を外部に簡易に取り出すことができる。
【００３４】
また、歯科材料収容容器１０Ａは、蓋部３０Ａの内部に歯科用セラミックス４０を収容した後、蓋部３０Ａを容器本体２０Ａの周方向に相対的に回転させ、第１保持部２１と第２保持部３３Ａとの平面をずらせる。これにより、蓋部３０Ａの内部に収容された歯科用セラミックス４０が容器本体２０Ａの内側に戻るのを第１保持部２１により規制できる。また、歯科材料収容容器１０Ａは、蓋部３０Ａの内部に収容された歯科用セラミックス４０を取り出した後、容器本体２０Ａの内部に収容されている歯科用セラミックス４０が蓋部３０Ａの内部に移動することを防ぐことができる。よって、歯科材料収容容器１０Ａによれば、容器本体２０Ａの内部に収容されている歯科用セラミックス４０を蓋部３０Ａから１つずつスムーズに取り出すことができる。
【００３５】
このように、歯科材料収容容器１０Ａを用いれば、歯科用セラミックスを簡単に一つずつ取り出しながら作業できる。そのため、歯科材料収容容器１０Ａは、歯科技工所において、被覆冠（クラウン）、インナー、又はブリッジ等の補綴物を製造する際に用いる歯科用セラミックスの収容容器として好適に用いることができる。
【００３６】
なお、本実施形態では、容器本体２０Ａ及び蓋部３０Ａを光透過性を有する材料で形成されているが、光透過性を有しない材料で形成されていてもよい。なお、光透過性を有しないとは、容器本体２０Ａの内側の歯科用セラミックス４０の形状を外側から視認不可であるか視認困難な程度に可視光の遮光性を有することをいう。
【００３７】
本実施形態では、容器本体２０Ａ及び蓋部３０Ａは、円筒状に形成されているが、容器本体２０Ａと蓋部３０Ａとの何れか一方又は両方の外周面の一部を面取りしてもよい。または、容器本体２０Ａ及び蓋部３０Ａの接合部を除く部分は、これらを軸方向に沿って見た時に四角形状に形成された筒状部材でもよい。さらに、容器本体２０Ａの端部に、容器本体２０Ａの軸方向視において、多角形状に形成された回転防止部材を設けてもよい。この場合、前記回転防止部材は、前記回転防止部材の外径の最小値が容器本体２０Ａの外径以上となるように形成されることが好ましい。なお、外径の最小値とは、前記回転防止部材の外径の対角線のうち、最小の径の長さをいう。例えば、図１０に示すように、容器本体２０Ａの端部に、容器本体２０Ａの軸方向視において八角形状に形成され、容器本体２０Ａの外径よりも大きく形成された回転防止部材２３を設けることができる。これらにより、歯科材料収容容器１０Ａを作業台等の上に設置した際に、歯科材料収容容器１０Ａが転がるのを防ぐことができる。
【００３８】
本実施形態では、第１保持部２１及び第２保持部３３Ａは、主面４０ａ及び４０ｂに対抗する面が平面となるように形成されているが、第１保持部２１及び第２保持部３３Ａの形状はこれに限定されない。第１保持部２１及び第２保持部３３Ａは、歯科用セラミックス４０の両主面４０ａ及び４０ｂの形状に応じて、歯科用セラミックス４０の両主面４０ａ及び４０ｂを移動可能な状態で保持できるように形成されていればよい。例えば、図１１及び図１２に示すように、矩形状の第１保持部２１が容器本体２０Ａの内周面２０ａにその軸方向に沿って形成され、矩形状の第２保持部３３Ａが蓋部３０Ａの内周面３０ａにその軸方向に沿って形成されていてもよい。また、図１３及び図１４に示すように、歯科用セラミックス４０が、その両主面４０ａ及び４０ｂに凸状の溝部４１を有するものである場合、第１保持部２１は、溝部４１に対向する位置に、平面に加えて凸部２１１を有するように形成していればよい。この場合、第２保持部３３Ａには、溝部４１に対向する位置に凸部を形成しなくてもよい。
【００３９】
本実施形態では、突出部２２が容器本体２０Ａの周方向に沿って容器本体２０Ａの外周面２０ｂの全周に形成されているが、外周面２０ｂの周方向に所定間隔で形成されていてもよい。
【００４０】
本実施形態では、歯科用セラミックス４０は、平面視において、円形に形成されているが、長方形や正方形等の又は矩形に形成されていてもよい。
【００４１】
［第２の実施形態］
第２の実施形態に係る歯科材料収容容器について説明する。本実施形態に係る歯科材料収容容器は、上記の第１の実施形態に係る歯科材料収容容器１０Ａの容器本体に、蓋部の内部にまで伸びた延設部を設けたものである。
【００４２】
図１５は、第２の実施形態に係る歯科材料用容器の斜視図であり、図１６は、歯科材料用容器の分解斜視図である。図１５及び図１６に示すように、本実施形態に係る歯科材料収容容器１０Ｂは、容器本体２０Ｂの開口部２０１に蓋部３０Ｂの前方内面３０ｃ付近まで伸びた延設部２４を有する。
【００４３】
延設部２４は、容器本体２０Ｂの長手方向に沿って見た時、一部開口した切欠き部２４１を有する。切欠き部２４１は、歯科用セラミックス４０が通過可能な大きさであればよく、取出し口３１と同じ大きさ以上であることが好ましい。切欠き部２４１が取出し口３１と同じ大きさ以上であれば、歯科用セラミックス４０が取出し口３１から取り出される際に、切欠き部２４１が邪魔するのを抑制できる。
【００４４】
延設部２４を容器本体２０Ａの長手方向に沿って見た時、延設部２４の−Ｚ軸方向の端部２４ａは、前方内面３０ｃ付近にある。そのため、図１７に示すように、蓋部３０Ｂを回転させると、延設部２４は、取出し口３１のＺ軸方向の両縁を覆うように、蓋部３０Ｂの内周面３０ａに沿って回転する。
【００４５】
第２保持部３３Ｂは、図１８に示すように、蓋部３０Ｂの内周面３０ａと離間した状態で設けられている。第２保持部３３Ｂは、蓋部３０Ｂの前方内面３０ｃで接合されている。延設部２４は、容器本体２０Ｂの内周面２０ａと第２保持部３３Ｂとの間に挿入される。延設部２４は、容器本体２０Ｂ又は蓋部３０Ｂの回転に伴い、内周面２０ａと第２保持部３３Ｂとの間を回転可能に挿入された状態を維持できる。
【００４６】
歯科材料収容容器１０Ｂから歯科用セラミックス４０を取り出す時の動作を説明する。図１９に示すように、蓋部３０Ｂを固定した状態で、容器本体２０Ｂをその一方の周方向（＋Ｒ方向）に所定の角度（例えば、９０°）回転して、容器本体２０Ｂの第１保持部２１と蓋部３０Ｂの第２保持部３３Ｂとの位置を合わせる。これにより、第１保持部２１と第２保持部３３Ａとはそれぞれの平面が連続し、第１保持部２１と第２保持部３３Ｂとにより、連続した移動可能な空間が形成される。この結果、容器本体２０Ｂの内部に収容されている複数の歯科用セラミックス４０のうち、容器本体２０Ｂの内部の最も開口部２０１側に位置する歯科用セラミックス４０は、容器本体２０Ｂの内部から蓋部３０Ｂの内部に移動する。そして、蓋部３０Ｂの内部に移動した歯科用セラミックス４０は、その主面４０ａ及び４０ｂが一対の第２保持部３３Ｂに保持された状態で、蓋部３０Ｂの内部に収容される。
【００４７】
蓋部３０Ｂの内部に歯科用セラミックス４０が収容された後、蓋部３０Ｂを固定した状態で、容器本体２０Ｂをその一方の周方向（＋Ｒ方向）にさらに所定の角度（例えば、９０°）回転させる。容器本体２０Ｂの回転に伴い、容器本体２０Ｂと共に延設部２４が回転するため、容器本体２０Ｂを切欠き部２４１と取出し口３１との位置が合うように容器本体２０Ｂを回転させる。これにより、蓋部３０Ｂの内部の歯科用セラミックス４０を外部に開放される。また、容器本体２０Ｂの第１保持部２１と蓋部３０Ｂの第２保持部３３Ｂとの位置がずれる。そのため、容器本体２０Ｂの第１保持部２１と蓋部３０Ｂの第２保持部３３Ｂとの位置が合わなくなり、蓋部３０Ｂの内部に収容された歯科用セラミックス４０が容器本体２０Ｂの内側に戻るのを第１保持部２１により規制される。これにより、蓋部３０Ｂの内部の歯科用セラミックス４０は、一対の第２保持部３３Ａに保持された状態で、蓋部３０Ｂの内部に拘束される。
【００４８】
次に、蓋部３０Ｂの内部に収容された歯科用セラミックス４０を外部に取り出す。また、蓋部３０Ｂの内部に収容された歯科用セラミックス４０が取り出されても、第１保持部２１と第２保持部３３Ｂとの平面がずれているため、容器本体２０Ｂの内部に収容されている歯科用セラミックス４０は、蓋部３０Ｂの内部に移動しない。
【００４９】
歯科用セラミックス４０を蓋部３０Ｂの内部から取り出した後、蓋部３０Ｂを固定した状態で、容器本体２０Ｂをその一方の周方向（＋Ｒ方向）にさらに所定の角度（例えば、１８０°）回転させる。これにより、容器本体２０Ｂの延設部２４により蓋部３０Ｂの取出し口３１は覆われる。
【００５０】
上記のように構成された歯科材料収容容器１０Ｂは、容器本体２０Ｂに開口部２０１から蓋部３０Ｂの前方内面３０ｃまで伸びた延設部２４を有し、延設部２４には一部開口した切欠き部２４１が設けられている。これにより、歯科材料収容容器１０Ｂの未使用時や保存時等、容器本体２０Ｂの内部の歯科用セラミックス４０を取り出さない時には、延設部２４が取出し口３１を閉鎖することで、取出し口３１から煤塵等が侵入することを抑制できる。また、蓋部３０Ｂの内部に移動させた歯科用セラミックス４０が使用時以外の時に外部に抜けるのを防ぐことができる。よって、歯科材料収容容器１０Ｂによれば、高い衛生面を維持しつつ、未使用時に蓋部３０Ｂの内部に移動させた歯科用セラミックス４０が外部に抜け出てしまうのを抑制できる。
【００５１】
なお、本実施形態では、延設部２４は、蓋部３０Ｂの前方内面３０ｃまで伸びているが、蓋部３０Ｂの内部に伸びていればよく、取出し口３１の途中まで伸びていてもよい。
【００５２】
以上のように、歯科材料収容容器１０Ａ及び１０Ｂは、歯科材料が歯科用セラミックスの成形体の場合について説明したが、歯科材料収容容器１０Ａ及び１０Ｂは、上述の通り、歯科用セラミックスのような歯科材料を簡易に取り出すことができる。そのため、歯科材料収容容器１０Ａ及び１０Ｂは、歯科用セラミックス以外に、例えば、錠剤型の医療用薬品や菓子類等にも好適に用いることができる。
【００５３】
以上の通り、実施形態を説明したが、上記実施形態は、例として提示したものであり、上記実施形態により本発明が限定されるものではない。上記実施形態は、その他の様々な形態で実施されることが可能であり、発明の要旨を逸脱しない範囲で、種々の組み合わせ、省略、置き換え、変更等を行うことが可能である。これら実施形態やその変形は、発明の範囲や要旨に含まれると共に、特許請求の範囲に記載された発明とその均等の範囲に含まれる。
【００５４】
本出願は、２０１８年３月２７日に日本国特許庁に出願した特願２０１８−０５９４３８号に基づく優先権を主張するものであり、特願２０１８−０５９４３８号の全内容を本出願に援用する。
【符号の説明】
【００５５】
１０Ａ、１０Ｂ  歯科材料収容容器
２０Ａ、２０Ｂ  容器本体
２１  第１保持部
２２  突出部
２４  延設部
３０Ａ、３０Ｂ  蓋部
３１  取出し口
３２  溝部
３３Ａ、３３Ｂ  第２保持部
４０  歯科用セラミックス
【図１】
0006987971.tif 000002
【図２】
0006987971.tif 000003
【図３】
0006987971.tif 000004
【図４】
0006987971.tif 000005
【図５】
0006987971.tif 000006
【図６】
0006987971.tif 000007
【図７】
0006987971.tif 000008
【図８】
0006987971.tif 000009
【図９】
0006987971.tif 000010
【図１０】
0006987971.tif 000011
【図１１】
0006987971.tif 000012
【図１２】
0006987971.tif 000013
【図１３】
0006987971.tif 000014
【図１４】
0006987971.tif 000015
【図１５】
0006987971.tif 000016
【図１６】
0006987971.tif 000017
【図１７】
0006987971.tif 000018
【図１８】
0006987971.tif 000019
【図１９】
0006987971.tif 000020
【図２０】
0006987971.tif 000021